(57)【特許請求の範囲】
【請求項１】
ベースパネルと、装飾パネルと、連結材を備え、装飾パネルは押出形材であって、押出方向と直交する方向に切断加工したものであり、隣り合う複数の装飾パネルの各々の切断小口に嵌合する連結材により一方方向に一体に連結した状態の装飾パネル体を形成してあり、装飾パネル体を一方方向に直交する方向に複数並べてベースパネルに取り付けてあることを特徴とするパネル体。
【発明の詳細な説明】
【技術分野】
【０００１】
本発明は、門扉や門柱などのエクステリアや、その他の構造物に用いられるパネル体に関する。
【背景技術】
【０００２】
従来、門扉や門柱などのパネル体形状のエクステリアにおいては、たとえば文献１に示すように、全面が一連の木目模様となったような、単調な意匠のものが多かった。
【先行技術文献】
【非特許文献】
【０００３】
【非特許文献１】「エクステリア総合カタログ２０１４−２０１５（ＳＴＸ０８１０Ａ）」、三協立山株式会社、２０１４年４月、ｐ．３４０
【発明の概要】
【発明が解決しようとする課題】
【０００４】
しかしながら、最近では、より多彩な模様や色を組み合わせたものや、特にそれらをランダム調に配置したものに対するニーズがあり、そのような意匠を容易に構成できるパネル体が求められていた。
【０００５】
本発明は、上記事情を鑑みたものであり、多彩な模様や色をランダム調に配置した意匠を容易に構成できるパネル体を提供することを目的とする。
【課題を解決するための手段】
【０００６】
本発明は、ベースパネルと、装飾パネルと、連結材を備え、装飾パネルは押出形材であって、押出方向と直交する方向に切断加工したものであり、隣り合う複数の装飾パネルの各々の切断小口に嵌合する連結材により一方方向に一体に連結した状態の装飾パネル体を形成してあり、装飾パネル体を一方方向に直交する方向に複数並べてベースパネルに取り付けてあることを特徴とする。
【発明の効果】
【０００７】
本発明によれば、各装飾パネルの長さ、色、模様や素材を変えたり、一方方向に直交する方向に並べた装飾パネル同士で連結位置をずらしたりすることで、ランダム調の意匠を容易に構成できる。
【図面の簡単な説明】
【０００８】
【図１】本発明のパネル体の分解斜視図である。
【図２】装飾パネルと連結材の拡大図である。
【図３】パネル体を備える機能柱を示し、（ａ）は左側面図、（ｂ）は正面図である。
【図４】機能柱の横断面図（照明具がない高さ位置、図３のＡ−Ａ線断面図）である。
【図５】機能柱の横断面図（照明具がある高さ位置、図３のＢ−Ｂ線断面図）である。
【図６】左右の装飾パネルの幅が異なる場合の機能柱の正面図である。
【発明を実施するための形態】
【０００９】
以下、本発明の実施の形態を図面に基づいて説明する。このパネル体は、図１に示すように、ベースパネル１と、複数の装飾パネル２及び連結材３を備え、ベースパネル１の前側面に、連結材３で連結した装飾パネル２を取り付けるものである。
【００１０】
ベースパネル１は、アルミ押出形材からなり、図１に示すように、断面略矩形の中空矩形平板である。図１の上下方向が押出方向であって、上下に長い形状となっており、前側面は、略全面が平面状である。また、後側面には、上下の全長にわたって延びる凹溝１１を設けてあって、凹溝１１は左右に二本並んでおり、前側面が凹溝１１の底面となる。
【００１１】
装飾パネル２は、アルミ押出形材からなり、図１及び図２に示すように、断面略矩形の中空矩形平板である。図１及び図２の上下方向が押出方向であって、上下端部に開口部２１を有しており、上下に長い形状となっているが、上下長さは、すべての装飾パネル２において同じではなく、複数種類の長さのものがある。一方、断面形状はすべての装飾パネル２において同じであって、左右幅はベースパネル１の左右幅の略半分である。そして、前側面は、略全面が平面状であり、左側面の前端部には、左側に向けて開口する取付溝２２を形成してあり、後側面の左右中央の上部と下部には、それぞれ上下に二つ並んだネジ孔２３，２４を形成してある。
【００１２】
連結材３は、樹脂製であって、図１及び図２に示すように、平板状の基板部３１と、基板部３１の上側面及び下側面に形成した挿入部３２からなる。基板部３１は、装飾パネル２の断面形状と略同一形状であり、挿入部３２は、基板部３１の周縁部に立設された壁面からなるものであって、装飾パネル２の上下の開口部２１に嵌合する形状である。
【００１３】
そして、パネル体を組み立てるには、まず、複数の装飾パネル２を連結材３により上下方向（一方方向）に連結する。すなわち、図２に示すように、連結材３の上側の挿入部３２を、上側の装飾パネル２の下端の開口部２１に挿入し、連結材３の下側の挿入部３２を、下側の装飾パネル２の上端の開口部２１に挿入する。そして、装飾パネル２の上部及び下部の上下に二つ並ぶネジ孔のうち、端部側のネジ孔２３（上部においては上側のネジ孔、下部においては下側のネジ孔）にネジを挿入し、連結材３の挿入部３２に螺合して、装飾パネル２と連結材３を固定する。このようにして連結すると、連結材３の挿入部３２は、装飾パネル２の内部に納まって見えなくなり、基板部３１の側周面のみが露出して、複数の装飾パネル２が平板状の基板部３１を挟んで上下に並んだ状態になる。そして、このように装飾パネル２を連結したものを二本作り、それらを左右方向（一方方向に直交する方向）に並べて、ベースパネル１の前側面に取り付ける。ベースパネル１には、装飾パネル２の上部及び下部の上下に二つ並ぶネジ孔のうち、中央側のネジ孔２４（上部においては下側のネジ孔、下部においては上側のネジ孔）の位置に合わせて、ネジ孔１２を形成してある。ただし、装飾パネル２は複数が一体になっているので、すべてのネジ孔２４にネジを螺合する必要はなく、そのうちの一部のネジ孔２４に対応してベースパネル１にネジ孔１２を形成すれば十分である。このネジ孔１２は凹溝１１の底面に位置しており、ベースパネル１のネジ孔１２にネジを挿入し、装飾パネル２のネジ孔２４に螺合して、ベースパネル１と装飾パネル２を固定する。最後に、ベースパネル１の後側から凹溝１１に目板１３を取り付け、ネジを覆い隠してパネル体が完成する。
【００１４】
なお、装飾パネル２については、種々の長さのもの、また、塗装やラミネート加工などにより種々の色や木目模様などを表したものを備えてあり、それらを自在に選択して組み合わせられる。
【００１５】
このように構成したパネル体によれば、各装飾パネル２の長さ、色や模様を変えたり、左右方向に並べた装飾パネル２同士で連結位置を上下にずらしたりすることで、ランダム調の意匠を容易に構成できる。また、装飾パネル２同士の連結は、連結材３を挿入してネジ止めすればよいので容易である。さらに、こうして上下方向に連結して一体になった装飾パネル２をベースパネル１にネジ止めするので、装飾パネル２同士の位置合わせなどが必要なく、また装飾パネル２を一つずつベースパネル１にネジ止めする場合と比べて、ネジ止め箇所が少なくて済み、施工性がよい。
【００１６】
次に、このパネル体を具体的な構造物に適用した例について説明する。図３〜図５に示すのは、玄関先に設置される機能柱であり、表札、照明、インターホン及びポストの各機能を備えるものである。この機能柱は、主柱４と、主柱４の後側に連結した側面柱５と、主柱４の右側に連結した意匠柱６の三本の柱を組み合わせた構造になっている。
【００１７】
主柱４は、アルミ押出形材からなり、断面略矩形で、右側面の前側に溝部４１を形成してあり、後側に連結溝４２を形成してあり、さらに後側面の左側部に凸部４３を形成してある。主柱４の中空部内には、各所に電源を供給するためのケーブル４４を挿通してある。
【００１８】
側面柱５は、アルミ押出形材からなり、断面略矩形の後端中空部５１と、後端中空部５１の前側面左端から前側に向けて延びる側壁面５２を有し、側壁面５２の前端が右側に屈曲していて、主柱４の凸部４３の左側面に当接している。そして、主柱４の凸部４３と側面柱５の後端中空部５１及び側壁面５２に囲まれて形成された収納空間５３内に、インターホン５４やポスト５５を納めてある。インターホン５４は、図５に示すように、操作部が側壁面５２に形成した孔を通して左側面に露出するように設けてあり、機能柱の左側から操作できるようになっている。また、ポスト５５は、図５に示すように、箱形の収容部５５ａと、収容部５５ａの左側面に設けた投入口と、収容部５５ａの後側面に設けた取出口を備えるものであって、インターホン５４の下側に位置しており、収容部５５ａの前側面と後側面を、主柱４の凸部４３と側面柱５の後端中空部５１にそれぞれネジ止めしてある。そして、投入口が側壁面５２に形成した孔を通して左側面に露出するように設けてあり、機能柱の左側から郵便物などを投入し、後側から取り出せるようになっている。さらに、収納空間５３の開口部に、右側から背面板５６を取り付けてあり、インターホン５４を覆い隠している。背面板５６は、Ｌ字金具５７を介して主柱４の凸部４３と側面柱５の後端中空部５１にそれぞれネジ止めしてある。ただし、ポスト５５は箱形の収容部５５ａが側面柱５から右側に大きく突出しており、当該部分には背面板５６が設けられていない。
【００１９】
そして意匠柱６は、本発明のパネル体からなる。ベースパネル１の左側面には、上下に延びる二枚の連結片１４を形成してあり、連結片１４を主柱４の連結溝４２に挿入してあって、ベースパネル１が後側、装飾パネル２が前側に位置する。そして、後側から主柱４とベースパネル１に跨って連結板４５を当接させ、連結板４５を主柱４とベースパネル１にそれぞれネジ止めして、主柱４と意匠柱６を連結してある。なお、図３及び図５に示すように、意匠柱６の前側面の左上部には、透光性パネル６１を取り付けてあり、これが表札になっている。透光性パネル６１は、装飾パネル２の替わりに取り付けてあり、透光性パネル６１の直下の装飾パネル２の上端部には、図１に示すように、平板状の蓋材２５を取り付けて、開口部２１を塞いである。そして、透光性パネル６１の右端は、右側の装飾パネル２の取付溝２２に挿入してある。また、主柱４の溝部４１には、ＬＥＤからなる照明具４６を納めてあり、照明具４６と主柱４の前側面の間の隙間に、透光性パネル６１の左端を挿入してある。よって、図５に示すように、照明具４６は透光性パネル６１の後側に位置し、透光性パネル６１を背面から照らす。
【００２０】
このように構成した機能柱は、主柱４と、側面柱５と、意匠柱６が略Ｌ字形に配置された形状となっており、左側面に機能部（インターホン５４やポスト５５）が集められている。よって、前側面の意匠が制約されず、本発明のパネル体を用いて前側面の意匠を自在に変えられる。
【００２１】
また、照明具４６が主柱４と意匠柱６の間に内蔵され、外部からは視認できないので、シンプルな外観で意匠性が良好である。そして、意匠柱６の前側面に取り付けた透光性パネル６１を照明具４６が背面側から照らすので、意匠柱６自体が光るような特徴ある意匠となる。また、意匠柱６において透光性パネル６１を設ける高さ位置は自在に変更でき、照明具４６の高さ位置も溝部４１に沿って自在に変更できるので、照明具４６を透光性パネル６１に合わせた位置に取付可能である。
【００２２】
なお、装飾パネル２は、上下方向（一方方向）に連結されるもの同士が同一断面形状であればよく、左右方向（一方方向に直交する方向）に並ぶ装飾パネル２は必ずしも同一断面形状でなくてもよい。よって、たとえば図６に示すように、左右方向に並ぶ装飾パネル２ａ，２ｂの幅が異なるものであってもよい。
【００２３】
本発明は、上記の実施形態に限定されない。たとえば、ベースパネル、装飾パネル及び連結材の形状や連結構造はどのようなものであってもよい。また、連結した装飾パネルを、ベースパネルに三つ以上並べて取り付けてもよい。さらに、装飾パネルについては、異なる素材からなるものを組み合わせて用いてもよい。また、本発明のパネル体は、機能柱のほか、門扉や門柱などのエクステリアや、その他の種々の構造物に用いられる。
【符号の説明】
【００２４】
１  ベースパネル
２  装飾パネル
３  連結材
【図１】
0006488138.tif 000002
【図２】
0006488138.tif 000003
【図３】
0006488138.tif 000004
【図４】
0006488138.tif 000005
【図５】
0006488138.tif 000006
【図６】
0006488138.tif 000007